(57)【要約】【課題】本発明は、遠隔制御方法、遠隔制御システム及びこれらを使用する移動通信端末を提供することを目的とする。【解決手段】前記移動通信端の加速度センサーを介して、前記移動通信端末の移動動作を取得するステップと、前記移動通信端末は、前記移動通信端末の移動動作によって発生した加速度がデフォルトしきい値より大きいか否かを判定するステップと、前記移動通信端末の移動動作の加速度がデフォルトしきい値より大きいと、前記移動通信端末の移動動作に基づいて制御コマンドを生成するステップと、前記無線ネットワークモジュールを介して前記制御コマンドを前記電子デバイスへ伝送して、前記移動通信端末と前記電子デバイスの間でプリセットスイッチ動作を実行するステップと、を含むことを特徴とする。【選択図】図３
2013225857.tif 000002
【特許請求の範囲】
【請求項１】
電子デバイスを制御する加速度センサー及び無線ネットワークモジュールを含む移動通信端末に用いられる遠隔制御方法において、
前記移動通信端の加速度センサーを介して、前記移動通信端末の移動動作を取得するステップと、
前記移動通信端末は、前記移動通信端末の移動動作によって発生した加速度がデフォルトしきい値より大きいか否かを判定するステップと、
前記移動通信端末の移動動作の加速度がデフォルトしきい値より大きいと、前記移動通信端末の移動動作に基づいて制御コマンドを生成するステップと、
前記無線ネットワークモジュールを介して前記制御コマンドを前記電子デバイスへ伝送して、前記移動通信端末と前記電子デバイスの間でプリセットスイッチ動作を実行するステップと、
を含むことを特徴とする遠隔制御方法。
【請求項２】
前記プリセットスイッチ動作は、
前記移動通信端末が操作状態にあると、前記電子デバイスは、前記制御コマンドに基づいて前記電子デバイスで放映されているマルチメディアの設定データを前記移動通信端末に伝送するステップと、
前記移動通信端末が前記設定データを取得してから、該設定データに基づいて前記電子デバイスで放映されているマルチメディアを引き続き放映するステップと、
を含むことを特徴とする請求項１に記載の遠隔制御方法。
【請求項３】
前記設定データは、前記電子デバイスに放映されているマルチメディアの統一資源ロケータ（ＵＲＬ）及び放映進度を含むことを特徴とする請求項２に記載の遠隔制御方法。
【請求項４】
前記プリセットスイッチ動作は、
前記移動通信端末が再生状態にあると、前記移動通信端末は、前記制御コマンドに基づいて前記移動通信端末で放映されているマルチメディアの設定データを前記電子デバイスに伝送するステップと、
前記電子デバイスは、が前記設定データを取得してから、該設定データに基づいて前記移動通信端末で放映されているマルチメディアを引き続き放映するステップと、
を含むことを特徴とする請求項１〜３のいずれか１項に記載の遠隔制御方法。
【請求項５】
前記設定データは、前記移動通信端末に放映されているマルチメディアの統一資源ロケータ及び放映進度を含むことを特徴とする請求項２又は４に記載の遠隔制御方法。
【請求項６】
電子デバイス及び移動通信端末備える遠隔制御システムにおいて、
前記移動通信端末は、
加速度センサー及び無線ネットワークモジュールを含むハードウェアレイヤと、
加速度ライブラリを含むシステムライブラリと、
前記加速度センサーを介して前記移動通信端末の移動動作を取得し、前記加速度ライブラリに基づいて前記移動通信端末の移動動作によって発生した加速度がデフォルトしきい値より大きいか否かを判定し、前記移動通信端末の移動動作の加速度がデフォルトしきい値より大きいと、前記移動通信端末の移動動作に基づいて制御コマンドを生成し、前記無線ネットワークモジュールを介して前記制御コマンドを前記電子デバイスの目標アプリケーションへ伝送して、前記移動通信端末と前記電子デバイスの間でプリセットスイッチ動作を実行する遠隔制御プログラムと、
を含むことを特徴とする遠隔制御システム。
【請求項７】
電子デバイスと通信する移動通信端末において、
加速度センサー及び無線ネットワークモジュールを含むハードウェアレイヤと、
加速度ライブラリを含むシステムライブラリと、
前記加速度センサーを介して前記移動通信端末の移動動作を取得し、前記加速度ライブラリに基づいて前記移動通信端末の移動動作によって発生した加速度がデフォルトしきい値より大きいか否かを判定し、前記移動通信端末の移動動作の加速度がデフォルトしきい値より大きいと、前記移動通信端末の移動動作に基づいて制御コマンドを生成し、前記無線ネットワークモジュールを介して前記制御コマンドを前記電子デバイスの目標アプリケーションへ伝送して、前記移動通信端末と前記電子デバイスの間でプリセットスイッチ動作を実行する遠隔制御プログラムと、
を含むことを特徴とする移動通信端末。
【請求項８】
前記移動通信端末が操作状態にあると、前記目標アプリケーションは、前記制御コマンドに基づいて前記電子デバイスに放映されているマルチメディアの設定データを前記遠隔制御プログラムに伝送し、前記遠隔制御プログラムは、前記設定データに基づいて前記電子デバイスに放映されているマルチメディアを引き続き放映することを特徴とする請求項７に記載の移動通信端末。
【請求項９】
前記設定データは、前記電子デバイスで放映されているマルチメディアの統一資源ロケータ及び放映進度を含むことを特徴とする請求項８に記載の移動通信端末。
【請求項１０】
前記移動通信端末が再生状態にあると、前記遠隔制御プログラムは、前記制御コマンドに基づいて前記移動通信端末で放映されているマルチメディアの設定データを前記目標アプリケーションに伝送し、前記目標アプリケーションは、前記設定データに基づいて前記移動通信端末で放映されているマルチメディアを引き続き放映することを特徴とする請求項７〜９のいずれか１項に記載の移動通信端末。
【請求項１１】
前記設定データは、前記移動通信端末で放映されているマルチメディアの統一資源ロケータ及び放映進度を含むことを特徴とする請求項１０に記載の移動通信端末。
【発明の詳細な説明】
【技術分野】
【０００１】
本発明は、移動通信に関し、特に遠隔制御方法、遠隔制御システム、及びこれらを使用する移動通信端末に関するものである。
【背景技術】
【０００２】
現在、テレビ、セットトップボックス、ビデオレコーダー等の電子デバイスは、それぞれ多種にわたる機能を有し、且つ通常リモコンによって制御される。このリモコンを使用して前記電子デバイスを制御する場合、これらリモコンに多くのボタンが取り付けられているため、操作が複雑で、且つ不便である。
【先行技術文献】
【特許文献】
【０００３】
【特許文献１】中国特許公開第２０１０−１０２６８１１  ９．９号
【特許文献２】中国特許公開第２００９−１０１７６０１  ９号
【特許文献３】中国特許公開第２０１０−１０１６６８４  １．１号
【発明の概要】
【発明が解決しようとする課題】
【０００４】
以上の問題点に鑑みて、本発明は、移動通信端末によって電子デバイスを容易に且つ直観的に制御できる遠隔制御方法、遠隔制御システム及びこれらを使用する移動通信端末を提供することを目的とする。
【課題を解決するための手段】
【０００５】
前記問題を解決するために、本発明に係る遠隔制御方法は、移動通信端末に用いられ、この移動通信端末は、加速度センサーと無線ネットワークモジュールとを含む。移動通信端末の加速度センサーを介して、移動通信端末の移動動作を取得する。また、移動通信端末は、移動通信端末の移動動作によって発生した加速度がデフォルトしきい値より大きいか否かを判定する。移動通信端末の移動動作の加速度がデフォルトしきい値より大きいある場合、移動通信端末は、移動通信端末の移動動作に基づいて制御コマンドを生成する。移動通信端末は、無線ネットワークモジュールを介して前記制御コマンドを前記電子デバイスへ伝送して、移動通信端末と電子デバイスの間でプリセットスイッチ動作を実行する。
【０００６】
本発明に係る遠隔制御システムは、電子デバイス及び移動通信端末を備える。前記移動通信端末は、加速度センサー及び無線ネットワークモジュールを含むハードウェアレイヤと、加速度ライブラリを含むシステムライブラリと、前記加速度センサーを介して前記移動通信端末の移動動作を取得し、前記加速度ライブラリに基づいて前記移動通信端末の移動動作によって発生した加速度がデフォルトしきい値より大きいか否かを判定し、前記移動通信端末の移動動作の加速度がデフォルトしきい値より大きいと、前記移動通信端末の移動動作に基づいて制御コマンドを生成し、前記無線ネットワークモジュールを介して前記制御コマンドを前記電子デバイスの目標アプリケーションへ伝送して、前記移動通信端末と前記電子デバイスの間でプリセットスイッチ動作を実行する遠隔制御プログラムと、を含む。
【０００７】
本発明に係る移動通信端末は、ハードウェアレイヤと、システムライブラリと、遠隔制御プログラムと、を含む。前記ハードウェアレイヤは、加速度センサー及び無線ネットワークモジュールを含む。前記システムライブラリは、加速度ライブラリを含む。前記遠隔制御プログラムは、加速度センサーを介して、前記移動通信端末の移動動作を得て、前記加速度ライブラリにより、移動通信端末の移動動作によって発生した加速度がデフォルトしきい値より大きいか否かを判定し、移動通信端末の移動動作の加速度がデフォルトしきい値より大きい場合、移動通信端末の移動動作に基づいて制御コマンドを生成し、前記無線ネットワークモジュールを介して前記制御コマンドを前記電子デバイスの目標アプリケーションへ伝送して、移動通信端末と電子デバイスの間でプリセットスイッチ動作を実行する。
【発明の効果】
【０００８】
従来の技術と比べて、本発明の遠隔制御方法と、遠隔制御システム及びこれらを使用する移動通信端末は、移動通信端末が振られることを利用して、ユーザーの操作行為を判定する。これにより、ユーザーは、電子デバイスを容易に且つ直観的に操作することができる。
【図面の簡単な説明】
【０００９】
【図１】本発明の実施形態に係る遠隔制御システムの構造を示す図である。
【図２】図１に示す本発明の実施形態に係る遠隔制御システムの更に詳しい構造を示す図である。
【図３】本発明の実施形態に係る遠隔制御方法を示すフローチャートである。
【発明を実施するための形態】
【００１０】
以下、図面を参照しながら、本発明の実施形態に係る遠隔制御方法、遠隔制御システム及びこれらを使用する移動通信端末を詳細に説明する。
【００１１】
図１に示したように、遠隔制御システム１０は、移動通信端末１１０と、ネットワーク１２０と、電子デバイス１３０と、を含む。移動通信端末１１０は、モバイルアプリケーション（Ｍｏｂｉｌｅ  Ａｐｐｌｉｃａｔｉｏｎｓ，ＡＰＰｓ）が搭載された移動通信デバイス（例えば、スマートフォン、タブレットパソコン等）である。また、ネットワーク１２０は、通常ホームネットワークであるが、他の無線トランザクションプロトコル（ＷＴＰ）と互換できるネットワークでも良い。電子デバイス１３０は、スマートテレビ、セットトップボックス、或いは他のスマートデバイスである。
【００１２】
移動通信端末１１０は、電子デバイス１３０と対になった後、ネットワーク１２０を介して電子デバイス１３０を制御する。本実施形態において、移動通信端末１１０は、ユーザーのジェスチャー入力信号７０（図２を参照）を受信する。このジェスチャー入力信号７０によって、移動通信端末１１０と前記電子デバイス１３０との間でマルチメディアデータの交換を行う。本実施形態において、前記ジェスチャー入力信号は、移動通信端末１１０が振られることによって発生した加速度信号である。
【００１３】
図２に示したように、遠隔制御システム１０は、移動通信端末４０、スマートテレビ５０及び無線ネットワーク６０をさらに含む。移動通信端末４０のソフトウェアユニットは、オペレーティングシステムカーネル４１０、システムライブラリ４２０、システムフレームワーク４３０及び遠隔制御プログラム４４０を含む。システムライブラリ４２０は、加速度ライブラリ４２１を含む。移動通信端末４０のハードウェアユニットは、ハードウェアレイヤ４００を含み、このハードウェアレイヤ４００は、加速度センサー４０１及び無線ネットワークモジュール４０２を含む。
【００１４】
本実施形態において、オペレーティングシステムカーネル４１０は、リナックス（登録商標）カーネル或いは他のオペレーティングシステムカーネルである。他のオペレーティングシステムは、Ｗｉｎｄｏｗｓ（登録商標）、Ｍａｃ ＯＳ（登録商標）、或いはｉＯＳ（登録商標）であることができる。システムフレームワーク４３０は、Ａｎｄｒｏｉｄ（登録商標）、Ｓｙｍｂｉａｎ（登録商標）、或いは他のシステムフレームワークである。無線ネットワークモジュール４０２は、米国電気電子学会（ＩＥＥＥ）が制定した８０２．１１に関する無線規格、或いは他の無線通信規格をサポートする無線ネットワークデバイスを含む。前記他の無線通信規格は、Ｂｌｕｅｔｏｏｔｈ（登録商標）、或いはＺｉｇｂｅｅ（登録商標）である。
【００１５】
移動通信端末４０は、ハードウェアレイヤ４００の中のオペレーティングシステムカーネル４１０から、ジェスチャー信号７０を受信する。次いで、移動通信端末４０のプロセッサ（図示せず）が、経路Ｐが指示した順序に従って、ジェスチャー入力信号７０を、下記表１に示した各ユニットの間で、伝送／変換する。
【００１６】
【表１】
2013225857.tif 000003
【００１７】
次いで、移動通信端末４０は、ハードウェアレイヤ４００の無線ネットワークモジュール４０２を再利用し、無線ネットワーク６０によって、ジェスチャー入力信号７０に対応する制御信号をスマートテレビ５０に伝送する。
【００１８】
スマートテレビ５０のソフトウェアユニットは、オペレーティングシステムカーネル５１０、システムライブラリ５２０、システムフレームワーク５３０及び目標アプリケーション５４０を含む。スマートテレビ５０のハードウェアユニットは、ハードウェアレイヤ５００を含み、このハードウェアレイヤ５００は、無線ネットワークモジュール５０２を含む。
【００１９】
オペレーティングシステムカーネル５１０は、リナックス（登録商標）カーネル或いは他のオペレーティングシステムカーネルである。前記他のオペレーティングシステムは、Ｗｉｎｄｏｗｓ（登録商標）、Ｍａｃ ＯＳ（登録商標）、或いはｉＯＳ（登録商標）であることができる。システムフレームワーク５３０は、Ａｎｄｒｏｉｄ（登録商標）、Ｓｙｍｂｉａｎ（登録商標）、或いは他のシステムフレームワークである。無線ネットワークモジュール５０２は、米国電気電子学会が制定した８０２．１１に関する無線規格、或いは他の無線通信規格をサポートする無線ネットワークデバイスを含む。前記他の無線通信規格は、Ｂｌｕｅｔｏｏｔｈ（登録商標）、或いはＺｉｇｂｅｅ（登録商標）である。
【００２０】
図２に示したように、スマートテレビ５０は、ハードウェアレイヤ５００の無線ネットワークモジュール５０２から、ジェスチャー入力信号７０に対応する制御信号を受信する。次いで、スマートテレビ５０のプロセッサ（図示せず）が、経路Ｐが指示した順序に従って、ジェスチャー入力信号７０を、下記表２に示した各ユニットの間で、伝送／変換する。
【００２１】
【表２】
2013225857.tif 000004
【００２２】
また、スマートテレビ５０は、システムライブラリ５２０を介して前記制御信号を目標アプリケーション５４０に伝送する。この目標アプリケーション５４０は、前記制御信号によってデータを伝送する或いは受信する。前記データは、現在スマートテレビ５０或いは移動通信端末４０で放映されているマルチメディアの設定データである。
【００２３】
図３は、本発明の実施形態に係る遠隔制御方法を示すフローチャートであり、該遠隔制御方法は、表１及び表２に示された各ユニットを介して、移動通信端末４０によって、電子デバイスを制御する。また、この遠隔制御方法は、加速度センサー４０１が搭載されている移動通信端末１１０に用いられ、この移動通信端末１１０の振りを介して電子デバイス（例えば、スマートテレビ、セットトップボックス）を制御する。
【００２４】
また、遠隔制御方法を使用する前に、移動通信端末１１０は、前記電子デバイスと対にしなければならない。本実施形態において、Ｍ−Ｓｅａｒｃｈ演算法を利用して、移動通信端末１１０を前記電子デバイスに対にさせる。このＭ−Ｓｅａｒｃｈ演算法は、既知の演算法であるので、ここでの詳細な説明は省略する。
【００２５】
本発明の実施形態に係る遠隔制御方法は以下のステップＳ１〜ステップＳ７を含む。
【００２６】
ステップＳ１において、移動通信端末１１０の内部に設置された加速度センサー４０１を介して、移動通信端末４０の移動動作を得る。該移動動作は、ユーザーのジェスチャー入力動作である。
【００２７】
ステップＳ２において、遠隔制御プログラム４４０は、移動通信端末４０の移動動作によって発生された加速度が、デフォルトしきい値より大きいか否かを判定する。本実施形態において、デフォルトしきい値は、１．５倍の重力加速度（１．５Ｇ）である。
【００２８】
ステップＳ３において、移動通信端末４０の移動動作の加速度がデフォルトしきい値以下であると、前記遠隔制御プログラム４４０は応答しない、或いは黙認情報に応答する。また、移動通信端末の４０移動動作の加速度がデフォルトしきい値より大きいと、前記遠隔制御プログラム４４０は、移動通信端末４０の移動動作に基づいて制御コマンドを生成し、且つ移動通信端末４０の無線ネットワークモジュール４０２を介して前記制御コマンドを電子デバイスへ伝送して、移動通信端末４０と電子デバイスとの間でプリセットスイッチ動作を実行する。
【００２９】
ステップＳ４において、移動通信端末４０が操作状態（Ａｐｐ  Ｓｔａｔｅ）にあると、前記電子デバイスは、前記制御コマンドに基づいて現在の電子デバイスで放映されているマルチメディアの設定データを、移動通信端末４０に伝送する。本実施形態において、前記操作状態は、移動通信端末４０がアプリケーションを実行している状態である。前記設定データは、現在の電子デバイスで放映されているマルチメディアの統一資源ロケータ（ＵＲＬ）、放映進度、或いはゲームの進度などのデータである。
【００３０】
ステップＳ５において、移動通信端末４０が前記設定データを受信してから、再生アプリケーションを実行し、この設定データに基づいて前記電子デバイスで放映されているマルチメディアを引き続き放映する。
【００３１】
ステップＳ６において、移動通信端末４０が再生状態にあると、移動通信端末４０は、前記制御コマンドに基づいて現在の放映されているマルチメディアの設定データを、電子デバイスに伝送する。本実施形態において、前記再生状態とは、移動通信端末４０がマルチメディアを放映している状態である。前記設定データは、移動通信端末４０で放映されているマルチメディアの統一資源ロケータ、放映進度、或いはゲーム進度などのデータである。
【００３２】
ステップＳ７において、電子デバイスが前記設定データを受信してから、再生アプリケーションを実行し、この設定データに基づいて、移動通信端末４０で放映されているマルチメディアを引き続き放映する。
【００３３】
本発明の遠隔制御方法、遠隔制御システム及びこれらを使用する移動通信端末は、移動通信端末が振られることを利用して、ユーザーの操作行為を判定する。これにより、ユーザーが、電子デバイスを容易に且つ直観的に操作することができる。
【００３４】
以上、本発明の好適な実施形態について詳細に説明したが、本発明は前記実施形態に限定されるものではなく、本発明の範囲中で種々の変形又は修正が可能であり、該変形又は修正も、本発明の特許請求の範囲中に含まれるものであることは、いうまでもない。
【符号の説明】
【００３５】
１０              遠隔制御システム
１２０            ネットワーク
１３０            電子デバイス
１１０、４０      移動通信端末
４００、５００    ハードウェアレイヤ
４０１            加速度センサー
４０２、５０２    無線ネットワークモジュール
４１０、５１０    オペレーティングシステムカーネル
４２０、５２０    システムライブラリ
４２１            加速度ライブラリ
４３０、５３０    システムフレームワーク
４４０            遠隔制御プログラム
５０              スマートテレビ
５４０            目標アプリケーション
６０              無線ネットワーク
７０              ジェスチャー入力信号 
Ｐ                経路
【図１】
2013225857.tif 000005
【図２】
2013225857.tif 000006
【図３】
2013225857.tif 000007